(57)【要約】【課題】  植物を傷めることなく保管・運搬でき、植物の良さを感じつつ簡易に見たり触れたりできる植物包装体を提供する。【解決手段】  本発明の植物包装体１０は、開口筒部２２を含む周壁２１を有する容器２と、前記開口筒部２２を塞ぐ封止部５と、前記封止部５に挿通支持され且つ一部分が前記容器２から露出された植物３と、前記植物３の露出部分を少なくとも覆う保護カバー６と、を有する。【選択図】  図１
2017169513.tif 000002
【特許請求の範囲】
【請求項１】
開口筒部を含む周壁を有する容器と、
前記開口筒部を塞ぐ封止部と、
前記封止部に挿通支持され且つ一部分が前記容器から露出された植物と、
前記植物の露出部分を少なくとも覆う保護カバーと、を有する植物包装体。
【請求項２】
前記容器内に、水分及び養分の少なくとも一方が収容されている、請求項１に記載の植物包装体。
【請求項３】
前記保護カバーが、前記容器に着脱可能に取り付けられている、請求項１または２に記載の植物包装体。
【請求項４】
前記容器及び保護カバーが、合成樹脂又は紙材で形成されている、請求項１乃至３のいずれか一項に記載の植物包装体。
【請求項５】
前記保護カバーの少なくとも一部に、内部を透視可能な透明部が設けられている、請求項１乃至４のいずれか一項に記載の植物包装体。
【請求項６】
前記保護カバーが、前記容器の周壁に着脱可能に外嵌されており、
前記保護カバー及び容器を結束すべく、前記保護カバー及び容器の外側に熱収縮性筒状ラベルが熱収縮装着されている、請求項１乃至５のいずれか一項に記載の植物包装体。
【発明の詳細な説明】
【技術分野】
【０００１】
本発明は、植物を傷めることなく保管・運搬でき、保護カバーから取り出して植物付き容器とすることができる植物包装体に関する。
【背景技術】
【０００２】
従来、植物として、鉢植え、切り花などが市場において流通している。鉢植えは、植物だけでなく用土を含むため、大重量であり運搬に適さず、また、それを観賞した後に用土を処分することが困難である。
この点、切り花などの生花は、観賞後に処分し易いが、流通過程で傷み易い。
特許文献１には、生花を傷めることなく保管・運搬するために、プラスチック製二軸延伸ブロー成形容器本体部と蓋材とからなり、前記本体部内に収容した花を蓋材により密封した花包装体が開示されている。
かかる花包装体は、そのままで観賞でき、或いは、開封して生花を観賞できる。
【０００３】
しかしながら、特許文献１の花包装体においては、その購入者が、それをそのまま観賞しても、生花がプラスチック製本体部によって覆われているので、生花を直接触れることや生花の匂いを感じることができない。つまり、特許文献１の花包装体をそのまま観賞しても、生花そのものの良さを購入者が感じ難く、造花やドライフラワーと実質的に変わらない。
また、前記花包装体の本体部を開封し、収容された生花を取り出して観賞する場合には、購入者が、前記生花を活けるために、花瓶や水の準備などをしなければならない。特に、若年層の購入者は、花瓶などを所有していないことも多く、また、生花を活ける機会も少ないので、前記のような花包装体は、手軽に生花を観賞したいという需要に応えることができない。
【先行技術文献】
【特許文献】
【０００４】
【特許文献１】特開平４−２７９４８０号公報
【発明の概要】
【発明が解決しようとする課題】
【０００５】
本発明の第１の目的は、植物を傷めることなく保管・運搬でき、植物の良さを感じつつ簡易に植物を見たり触れたりできる植物包装体を提供することである。
本発明の第２の目的は、使用後に処分し易い植物包装体を提供することである。
【課題を解決するための手段】
【０００６】
本発明の植物包装体は、開口筒部を含む周壁を有する容器と、前記開口筒部を塞ぐ封止部と、前記封止部に挿通支持され且つ一部分が前記容器から露出された植物と、前記植物の露出部分を少なくとも覆う保護カバーと、を有する。
【０００７】
本発明の好ましい植物包装体は、前記容器内に、水分及び養分の少なくとも一方が収容されている。
本発明の好ましい植物包装体は、前記保護カバーが、前記容器に着脱可能に取り付けられている。
本発明の好ましい植物包装体は、前記容器及び保護カバーが、合成樹脂又は紙材で形成されている。
本発明の好ましい植物包装体は、前記保護カバーの少なくとも一部に、内部を透視可能な透明部が設けられている。
本発明の好ましい植物包装体は、前記保護カバーが、前記容器の周壁に着脱可能に外嵌されており、前記保護カバー及び容器を結束すべく、前記保護カバー及び容器の外側に熱収縮性筒状ラベルが熱収縮装着されている。
【発明の効果】
【０００８】
本発明の植物包装体を用いれば、保護カバーによって植物が損傷を受け難いので、植物を傷めることなく長期間保管・運搬することができる。
さらに、保護カバーを外すと、容器に植物が挿通支持されている植物付き容器が現れるので、そのままテーブルなどの上において植物に触れたりしながら手軽に楽しむことができる。
また、使用後には、そのまま廃棄することもできる。
【図面の簡単な説明】
【０００９】
【図１】第１実施形態に係る植物包装体の右半分断面を含む正面図。
【図２】第１実施形態に係る植物付き容器の右半分断面を含む正面図。
【図３】植物包装体の分解斜視図。
【図４】容器の右半分断面を含む正面図。
【図５】植物付き容器に保護カバーが取り付けられた植物包装体であって、熱収縮性筒状ラベルを装着する前の右半分断面を含む正面図。
【図６】保護カバーの右半分断面を含む正面図。
【図７】第１の製造方法において、容器内に植物を差し入れる工程を示す断面図。
【図８】第１の製造方法において、開口筒部と植物の下方部（茎部）との間隙に未硬化の封止材料を充填する工程を示す断面図。
【図９】第２の製造方法において、開口筒部内に未硬化の封止材料を充填する工程を示す断面図。
【図１０】第２実施形態の第１例に係る植物付き容器の右半分断面を含む正面図。
【図１１】第２実施形態の第２例に係る植物付き容器の右半分断面を含む正面図。
【図１２】第３実施形態に係る植物付き容器の断面図。
【図１３】第４実施形態に係る植物包装体の右半分断面を含む正面図。
【図１４】第５実施形態に係る植物包装体の右半分断面を含む正面図。
【図１５】第６実施形態に係る植物包装体の右半分断面を含む正面図。
【発明を実施するための形態】
【００１０】
以下、本発明について、図面を参照しつつ具体的に説明する。
なお、本明細書において、方向を示す用語としての「上」は、容器の底部にて容器を自立させた状態を仮定して、それを基準にして軸方向の上側を指し、「下」は、その軸方向反対側を指す。
「〜」で表される数値範囲は、「〜」の前後の数値を下限値及び上限値として含む数値範囲を意味する。
各図に示される部分及び部材の寸法、縮尺及び形状は、実際のものとは異なっている場合があることに留意されたい。
【００１１】
＜第１実施形態＞
［植物包装体及び植物付き容器の概要］
図１及び図２は、第１実施形態に係る植物包装体及び植物付き容器の正面図であるが、容器の軸を基準にして右半分を断面で示している（以下、同様に右半分で示している図が幾つか存在する）。図３は、同植物包装体を、それを構成する部材に分けて示している。
本発明の植物包装体１０は、図１に示すように、植物３が容器２に差し入れられた植物付き容器１と、この植物付き容器１の少なくとも植物３の露出部分を覆う保護カバー６と、を有する。
植物付き容器１は、図１及び図２に示すように、開口筒部２２を含む周壁２１を有する容器２と、前記開口筒部２２を塞ぐ封止部５と、前記封止部５に挿通支持され且つ一部分が前記容器２の周壁２１の外部に出された植物３と、を有する。好ましくは、前記容器２内には、水分及び養分の少なくとも一方が収容され、より好ましくは、少なくとも水分が収容されている。
さらに、植物包装体１０は、必要に応じて、前記容器２に添付されるラベル７１と、前記保護カバー６などに装着されるラベル７２を有する。
以下、図１乃至図３を参照しつつ、適宜詳細な図面を各部材ごとに摘示して、各部材を分説し、本発明の植物包装体及び植物付き容器を具体的に説明する。
【００１２】
［植物］
本明細書において、植物３は、吸水作用を有する植物をいい、吸水作用が失われた植物（例えば、枯れてしまった植物など）は含まれない。植物３は、生花、観葉植物、結実植物などが含まれる。植物３は、主として観賞目的のもの、主として可食目的のもの、及び両目的のものなどが含まれる。前記生花は、主として花卉が鑑賞対象となる植物であり、観葉植物は、主として葉が鑑賞又は可食対象となる植物であり、結実植物は、主として実が鑑賞又は可食対象となる植物である。これらは１種単独で又は２種以上使用できる。生花としては、特に限定されないが、菊、カーネーション、ガーベラ、バラ、ユリ、ヒヤシンス、チューリップなどが挙げられる。観葉植物としては、特に限定されないが、ポトス、パセリ、榊、バラン、竹、ニューサイラン、ハラン、ミスカンサス、サボテンなどが挙げられる。結実植物としては、特に限定されないが、ナンテン、ホオズキ、大根、ニンジンなどが挙げられる。
植物は、それを部位毎に区分けすると、通常、根部（根部には球根部が含まれる）、茎部、及び葉部を有し、生花は、これに加えて花部を有し、結実植物は、実を有する。なお、ダイコンなどは、茎部や葉部が可食対象であり、ユリなどは、球根部が可食対象である場合もあるので、これらは実とも言える。それ故、上記植物の区分けは、あくまで例示であり、明確に区別できるわけではない。
後述するように、本発明においては、植物３の一部分（例えば、植物３の下方部３１）が容器内に挿入され、植物３の一部分（例えば、植物３の上方部３２）が容器外に出され且つ容器から露出される。
植物３の下方部３１は、根部や茎部が含まれ、植物３の上方部３２は、花部、葉部や実が含まれる。植物３の下方部３１には、植物が吸水するための吸水部分が含まれる。
植物３は、下方部３１（例えば茎部）が中途部で切られていてもよく、茎部の端部に根部が付いていてもよい。茎部が切られた植物３は、その切り口から吸水する。図示例では、植物３として、下方部３１である茎部が所定長さに切られた生花を例示している。
【００１３】
［植物付き容器］
容器２は、図４にも示すように、端部に開口筒部２２を有する。容器２は、例えば、上方が開口した上面開口型の有底容器である。容器２は、好ましくは底部２３を下にして自立可能である。
容器２の外形は、特に限定されず、略円柱状、略楕円柱状、略四角柱状や略三角柱状などの略多角柱状、略逆円錐台状や略逆四角錐台状などの略逆錐台状、略円錐台状や略四角錐台状などの略錐台状、略瓢箪形状、略だるま形状、略徳利状、及びこれらの形状が組み合わされた立体形状などでもよい。本明細書において、形状の「略」は、本発明の属する技術分野において許容される形状を意味する。例えば、多角の「略」は、角部が面取りされている形状、辺の一部が僅かに膨らむ又は窪んでいる形状、辺が若干湾曲している形状などが含まれる。また、円や楕円などの略は、円弧の一部が膨らむ又は窪んでいる形状、円弧の一部が直線又は斜線とされた形状などが含まれる。
【００１４】
図示例の容器２は、軸方向の何れかの位置において最大外径部２１１を有する。容器２は、開口筒部２２から最大外径部２１１までの間における外周長が異なる部分を有する非直胴状である。非直胴状は、軸方向において外周長が変化した形状をいい、直胴状は、軸方向において外周長が一定である形状をいう。このような最大外径部２１１を有する形状としては、図示例のような略徳利状のほか、前記略錐台状、略瓢箪形状、略だるま形状などが挙げられる。図示例の容器２は、その最大外径部２１１の平面視外形が略円形状である。なお、本明細書において、平面視外形は、上方から見たときの外形をいう。
容器２の大きさは特に限定されないが、余りに小さいと、それに応じて比較的小さな植物しか入れられず、余りに大きいと、流通過程において不便な場合もある。かかる観点から、容器２の大きさは、正面から見た最大幅が例えば５ｃｍ〜５０ｃｍであり、軸方向の最大長さが５ｃｍ〜５０ｃｍである。
【００１５】
容器２は、自立させるための底部２３と、その底部２３の周囲から上方に立設された周壁２１と、から構成されている。周壁２１と底部２３で囲われた容器２の内部は、空間であり、収容部２４とされている。この収容部２４には、植物３の一部分である下方部３１や封止部５が入れられる。
周壁２１の軸方向中途部又は下方部が、前記最大外径部２１１とされる。図示例では、中途部において最も外周長が大きくなった周壁２１を有する容器２を示している。
周壁２１の端部は、開口筒部２２とされている。この開口筒部２２で囲われた範囲は、植物３の一部分を差し入れる空間であり、一部分を入れた状態で後述する封止部５によって閉塞される。
【００１６】
開口筒部２２の内面は、開口を形成する。開口筒部２２は、容器２の軸方向において内周長が変わらない内面直胴状の筒部でもよく、或いは、容器２の軸方向において内周長が変化する内面径差を有する筒部でもよい。封止部５が脱落し難くなることから、開口筒部２２の内面は軸方向において径差を有することが好ましい。開口筒部２２の内面が径差を有する場合、開口筒部２２としては、（１）上方に向かうに従って内周長が大きくなっている場合、（２）下方に向かう従って内周長が大きくなっている場合、（３）内周長が部分的に小さく又は大きくなった径差部を有する場合などが挙げられる。封止部５が上下に脱落し難くなることから、開口筒部２２は、内周長が部分的に小さく又は大きくなった径差部２１２を有することが好ましい。図示例では、開口筒部２２は、上方に向かう従って内周長が大きくなる部分と下方に向かうに従って内周長が大きくなる部分とを有する。前記２つの部分は軸方向において連続しており、両部間の内周長が部分的に小さくなった径差部２１２に相当する。なお、特に図示しないが、開口筒部２２の内面の一部分を内側に突出させることによって、内周長が部分的に小さくなった径差部２１２を形成してもよく、或いは、開口筒部２２の内面の一部分を凹ませる（換言すると、内面の一部分を外側に突出させる）ことによって内周長が部分的に大きくなった径差部２１２を形成してもよい。
【００１７】
また、容器２の周壁２１には、通気孔４が貫通されている。通気孔４は、封止部５にて密封された収容部２４と外部とを連通させるために、周壁２１に貫通された孔部である。詳しくは、通気孔４は、周壁２１のうち、封止部５と容器２とによって画成される収容部２４に連通する位置に形成されている。
図示例では、通気孔４は、周壁２１の上方部であって、封止部５の下端よりも下方に形成されている。
通気孔４は、少なくとも１つ形成されていればよく、２つ以上形成されていてもよい。
通気孔４の形状は、特に限定されず、例えば、正面視略円形状などである。通気孔４の大きさは、特に限定されないが、余りに大き過ぎると、収容部２４に収容した水分が多量に漏れ出るおそれがあり、余りに小さいと、円滑に通気できないおそれがある。かかる観点から、通気孔４の大きさは、円形の通気孔４を形成したと仮定して、直径０．１ｍｍ〜３ｍｍであり、好ましくは０．２ｍｍ〜２ｍｍである。なお、通気孔４は円形に限られないので、通気孔４が円形以外の異形状である場合の前記通気孔４の大きさは、その異形状の面積と同じ面積の円を想定し、その想定円の直径に相当する。
【００１８】
容器２は、内部に収容した水が漏れ出さないという防水性を有する。容器２の材質は、前記防水性を有することを条件として特に限定されず、合成樹脂、防水機能を有する紙材、金属などが挙げられる。運搬時に破損し難く、さらに、植物３を見たり触れたりして不要になった後に可燃物として廃棄できることから、容器２は、合成樹脂又は紙材で形成されていることが好ましく、さらに、所望の形状に容易に成形できることから、容器２は、合成樹脂で形成されていることがより好ましい。
容器２を構成する合成樹脂としては、特に限定されず、ポリエチレンテレフタレートなどのポリエステル系樹脂；ポリエチレン、ポリプロピレンなどのオレフィン系樹脂；ポリスチレンなどのポリスチレン系樹脂などの公知の熱可塑性樹脂などが挙げられる。容器２を構成する防水機能を有する紙材としては、代表的には、ポリエチレンフィルムや金属箔などが積層された紙が挙げられる。
容器２が合成樹脂製である場合、その成型方法は、特に限定されず、ブロー成形、射出成形、シート成形などが挙げられる。また、容器２の肉厚は、特に限定されず、例えば、合成樹脂製の容器２にあっては０．２ｍｍ〜３ｍｍである。なお、容器２は、透明又は非透明のいずれでもよい。
ここで、本明細書において、透明は、その部材の内側の物体の形状を外側から視認できる程度に可視光透過性を有することをいい、有色透明又は無色透明を含む。非透明は、その部材の内側の物体の形状を外側から視認不可又は視認困難な程度に可視光遮光性を有することをいう。
【００１９】
前記容器２の収容部２４内には、好ましくは水分及び養分の少なくとも一方が収容されている。前記水分は、水を含み、必要に応じて、殺菌剤、抗菌剤などもその水に含まれていてもよい。前記養分は、植物に有益な成分をいい、代表的には、窒素、リン酸、カリウム、その他の必須微量元素などが挙げられる。窒素、リン酸、カリウム、必須微量元素などの養分は、硝酸などの化合物の形態で容器内に入れられる、又は、水に溶解させた状態で容器内に入れられる。前記化合物形態の養分は、例えば、徐々に水中に溶解する遅効性でもよく、即効性でもよい。
水分は、収容部２４に直接的に（液状のままで）収容されていてもよく、保水性部材に保持された状態で収容されていてもよい。保水性部材としては、綿、不織布、保水シートなどが挙げられる。また、水にゲル化剤などを含有させることにより、前記水分がゲル状又はゼリー状の形態とされていてもよい。
水分（保水性部材に水分が保持されている場合には、保水後の当該部材）は、収容部２４の全体に満たされていてもよいが、通気孔４から外気が収容部２４内に入り易くなることから、水分は、容器を水平面上に自立させた状態を基準にして、水分の上面が通気孔４の直下以下となる量で入れられていることが好ましい。例えば、水分は、収容部２４の容積の１／５〜４／５程度の量で入れられていることが好ましい。
【００２０】
容器２の外面には、図３に示すように、必要に応じて、ラベル７１が添付される。好ましくは、ラベル７１は、容器２の周壁２１の外面であって、少なくとも通気孔４に被さるように添付される。ただし、前記ラベル７１は、そのラベル７１と周壁２１の外面との間に、ラベルの縁から通気孔４に通じる隙間を有するように添付される。ラベル７１は、透明若しくは非透明又は一部が透明な部分と残部が非透明な部分とからなるものでもよい。また、ラベル７１には、必要に応じて、デザイン印刷層などが設けられていてもよい。
ラベル７１としては、例えば、前記隙間を確保するために部分的に非接着部が設けられた粘着ラベル、筒状ラベルなどが挙げられる。このようなラベル７１を構成する基材としては、合成樹脂フィルムや紙などの可燃物製であることが好ましい。
前記筒状ラベルは、従来公知のものを使用でき、例えば、熱収縮性筒状ラベル（シュリンクチューブ、シュリンクラベルなどとも呼ばれる）、自己伸縮性筒状ラベル（ストレッチラベルなどとも呼ばれる）などが挙げられる。熱収縮性筒状ラベルや自己伸縮性筒状ラベルの具体的な構成は、例えば、特開２０１５−１２１６９５号、特開２０１４−１８６０７２号などの多くの文献に開示されているので、それを参照されたい。
【００２１】
図示例では、ラベル７１として熱収縮性筒状ラベルが用いられ、その熱収縮性筒状ラベル７１が容器２の外面のうち少なくとも通気孔４を覆って装着されている。熱収縮性筒状ラベル７１は、熱収縮によって、最大外径部２１１を含む周壁２１の外面及び底部２３の周囲に添付されている。熱収縮性筒状ラベルなどの筒状ラベルは、容器２の外面に接しているが、そのラベル７１の内面と周壁２１の外面との間には、隙間を有する。このため、ラベル７１の縁から隙間を介して通気孔４まで通気可能であり、外気が容器２の収容部２４内に出入りできる。
【００２２】
封止部５は、図１及び図２に示すように、容器２の収容部２４を実質的に気密状態とするべく、開口筒部２２の内面に取り付けられている。好ましくは、封止部５は、開口筒部２２の径差部２１２を含む内面に取り付けられる。径差部２１２に取り付けられた封止部５は、容器２から不用意に脱落し難くなる。
封止部５には、植物３の一部分である下方部３１が挿通されている。従って、封止部５は、開口筒部２２の内面と下方部３１との間の隙間に介在されている。
封止部５と開口筒部２２の内面とは、化学的又は物理的に接着していてもよく、或いは、封止部５が開口筒部２２側に強く密着することによって接着していてもよい。同様に、封止部５と下方部３１とは、化学的又は物理的に接着していてもよく、或いは、封止部５が下方部３１側に強く密着することによって接着していてもよい。
封止部５に下方部３１が挿通された植物３は、その一部分である上方部３２が周壁２１の外に露出された状態で封止部５に支持されている。かかる植物３は、封止部５を介して、容器２の軸方向に起立した状態で容器２の所定位置に保持される。
【００２３】
封止部５の厚み（封止部５の、容器の軸方向における長さ）は、特に限定されないが、余りに小さいと、植物３の支持が不十分となる。かかる観点から、封止部５の厚みは、例えば、１ｃｍ以上であり、好ましくは３ｃｍ以上である。なお、植物３の支持の点では、封止部５の厚みは大きい方が好ましいが、余りに大きくても支持効果は変わらない一方で収容部２４の容積が相対的に低下するので、封止部５の厚みは、例えば、１０ｃｍ以下が好ましい。
【００２４】
封止部５の形成材料は、気密材料であれば特に限定されず、合成樹脂、ゴム、固形パラフィンなどが挙げられる。
封止部５は、発泡体から構成されていてもよく、或いは、非発泡体（中実体）から構成されていてもよい。封止部５が発泡体である場合、十分な気密性を担保するため、その無数の気泡は独立気泡であることが好ましい。独立気泡の封止部５を用いることにより、気密性の高い封止部５を構成でき、保管・運搬時に封止部５から水分が漏れることを確実に防止でき、植物３の上方部３２に水滴が付着することを防止できる。
形成容易であることから、封止部５は合成樹脂から形成されていることが好ましく、さらに、湿式硬化型樹脂から形成されていることがより好ましく、湿式硬化型樹脂の発泡体から形成されていることがさらに好ましい。
【００２５】
植物付き容器１は、前記ラベル７１が添付され且つ収容部２４に水分が入れられた容器２の開口筒部２２が、封止部５によって封止され、下方部３１の切り口（又は下方部３１の根）が前記水分に接触するようにして前記封止部５に植物３の下方部３１が挿通支持され、植物３の上方部３２が封止部５の上方外部に突出されている。
【００２６】
［保護カバー］
保護カバー６は、主として植物付き容器１の植物３の一部分を保護するための部材である。
保護カバー６は、図５にも示すように、容器外に出された植物３の露出部分（例えば、上方部３２）を少なくとも覆い、好ましくは、植物３の露出部分と容器２の周壁２１のうち少なくとも開口筒部２２とを覆って、容器２に取り付けられている。
保護カバー６は、図６にも示すように、筒状部６１と、筒状部６１の上方に設けられた天面部６２と、を有する。図示例の天面部６２は、筒状部６１とは別体であり、筒状部６１の上方に嵌着又は接着剤を介して接着されている。もっとも、天面部６２と筒状部６１は一体的に形成されていてもよい。
保護カバー６の内周長及び軸方向長さは、植物付き容器１に取り付けた際に上方部３２を押し潰さない程度であればよい。例えば、保護カバー６は、取り付け時に、その筒状部６１の内面及び天面部６２の内面が上方部３２との間に空間を有する程度の大きさに形成されていてもよく、或いは、その筒状部６１の内面及び天面部６２の内面が、上方部３２を押し潰さない程度で接触する大きさに形成されていてもよい。
【００２７】
保護カバー６の外形は、特に限定されず、略円柱状、略楕円柱状、略四角柱状や略三角柱状などの略多角柱状などが挙げられる。好ましくは、保護カバー６の端部（容器２に取り付けられる側の端部）の平面視外形が、容器２の最大外径部２１１の平面視外形と同じであることが好ましく、さらに、保護カバー６の平面視外形が、容器２の最大外径部２１１の平面視外形と同形状であることがより好ましい。例えば、容器２の最大外径部２１１の平面視外形が略円形状の場合には、保護カバー６の少なくとも端部が平面視略円形状であることが好ましく、容器２の最大外径部２１１の平面視外形が略四角状の場合には、保護カバー６の少なくとも端部が平面視略四角状であることが好ましい。
【００２８】
また、保護カバー６を容器２に取り付けるために、保護カバー６の少なくとも端部の内周長が、容器２の最大外径部２１１の外周長よりも小さいことが好ましい。さらに、外観上において、保護カバー６と容器２の一体感を醸し出すようにするために、保護カバー６の少なくとも端部の外周長が、容器２の最大外径部２１１の外周長と同じであることが好ましい。
図示例では、保護カバー６の筒状部６１は、円筒状（平面視略円形状で且つ直胴状）であり、その内周長は平面視略円形状の最大外径部２１１の外周長よりも小さく且つその外周長は最大外径部２１１の外周長と同じとされている。
ただし、図面での表現上、保護カバー６の外周長が、（容器２の外面に添付されたラベル７１の外周長と同じになっており）容器２の最大径部の外周長よりも小さいように表されているが、実際には、ラベル７１の厚みは２０μｍ〜１００μｍ程度でほとんど無視できる程度であることに留意されたい。
【００２９】
保護カバー６は、その全体が透明又は非透明でもよく、或いは、一部が透明な部分（透明部）と残部が非透明な部分（非透明部）とからなるものでもよい。
全体又は一部が透明な保護カバー６を用いることにより、その透明な部分を通じて、外部から植物３を透視することができる。
一方、全体が非透明な保護カバー６を用いることにより、植物３の上方部３２が可視光に曝されることを防止できる。なお、保護カバー６が透明部を有している場合でも、その透明部が、後述する可視光遮光性を有する被覆材によって被覆されることによって、植物３の上方部３２が可視光に曝されることを防止できる。
例えば、第１例では、保護カバー６は、その全体が非透明であって、全体的に可視光遮光性を有する。
第２例では、保護カバー６は、筒状部６１の全体が非透明、及び、天面部６２の一部分が透明で且つ残部が非透明又は天面部６２の全体が透明である。
第３例では、保護カバー６は、筒状部６１の一部分が透明で且つ残部が非透明、及び、天面部６２の一部分が透明で且つ残部が非透明又は天面部６２の全体が透明である。
【００３０】
保護カバー６の材質は、特に限定されず、合成樹脂、紙材、金属などが挙げられる。運搬時に破損し難く、さらに、植物３を見たり触れたりして不要になった後に可燃物として廃棄できることから、保護カバー６は、合成樹脂又は紙材で形成されていることが好ましい。
保護カバー６を構成する合成樹脂としては、上記容器２で例示したようなものが挙げられる。保護カバー６を構成する紙材としては、厚紙などが挙げられる。
保護カバー６の筒状部６１及び天面部６２は、同材質でもよく、或いは、異なっていてもよい。例えば、筒状部６１が紙材で形成され且つ天面部６２が合成樹脂で形成されている、或いは、筒状部６１及び天面部６２が同種又は異種の合成樹脂で形成されている。
合成樹脂を用いることにより、少なくとも一部分が透明部とされた保護カバー６を形成できる。例えば、筒状部６１が透明な合成樹脂から形成され、天面部６２が非透明な合成樹脂（着色剤を含む合成樹脂など）から形成される。
図示例では、筒状部６１は、紙材からなり（非透明）、天面が透明な合成樹脂からなる。
保護カバー６の肉厚は、特に限定されないが、余りに小さいと、機械的強度が低く、異物の接触によって保護カバー６が大きく潰れるおそれがあり、余りに大きいと、重量及びコストアップになる。かかる観点から、合成樹脂製の保護カバー６の肉厚は、例えば、０．２ｍｍ〜２ｍｍであり、好ましくは、０．３ｍｍ〜１．５ｍｍであり、紙材製の保護カバー６の肉厚は、例えば、０．５ｍｍ〜３ｍｍであり、好ましくは、１ｍｍ〜２ｍｍである。
【００３１】
保護カバー６は、図５に示すように、容器２の周壁２１に着脱可能に外嵌される。詳しくは、前記保護カバー６を植物付き容器１の上方から被せ、保護カバー６の端部を容器２の最大外径部２１１の上方近傍に密着させることにより、保護カバー６が容器２に取り付けられる。保護カバー６を周壁２１の外側に嵌め入れると、保護カバー６の端部が最大外径部２１１の上方近傍に当たって外側に拡張され、保護カバー６の端部が周壁２１に強く密着し、保護カバー６が容器２に取り付けられる。一方、保護カバー６と容器２が離反するように引っ張ることにより、保護カバー６を周壁２１から取り外すことができる。
保護カバー６を植物付き容器１に取り付けることにより、図５に示すような植物包装体１０ａが得られる。
得られた植物包装体１０ａは、水分が入れられ且つ封止部５によって開口筒部２２がシールされた自立可能な容器２と、前記封止部５に下方部３１が挿通支持され、上方部３２が外部に立ち上げられた植物３と、前記上方部３２及び開口筒部２２を含む植物付き容器１の上方部を覆う保護カバー６と、を有する。
【００３２】
さらに、植物包装体１０ａには、保護カバー６と容器２の取り付けを強固にするため、図１に示すように、保護カバー６及び容器２の外側に熱収縮性筒状ラベル７２が熱収縮装着されていてもよい。
かかる熱収縮性筒状ラベル７２は、保護カバー６の筒状部６１と周壁２１の最大外径部２１１及びそれよりも下方部に密着してそれらを覆っている。熱収縮性筒状ラベル７２を保護カバー６と容器２に跨がって装着することにより、そのラベル７２を介して保護カバー６と容器２が結束される。特に、図示のように、熱収縮性筒状ラベル７２の上端部が保護カバー６の天面部６２の外面側に折れ曲がり且つ周壁２１の最大外径部２１１を越えた下方部にまで熱収縮性筒状ラベルを装着することにより、保護カバー６と容器２が熱収縮性筒状ラベル７２によって強固に結束される。
【００３３】
熱収縮性筒状ラベル７２は、上記容器２の筒状ラベル７１と同様に、従来公知のものを使用できる。保護カバー６などの外側に装着される熱収縮性筒状ラベル７２は、開封の便のため、軸方向にミシン目線７２１が形成されていることが好ましい。また、この熱収縮性筒状ラベル７２は、必要に応じて、デザイン印刷層が設けられていてもよい。さらに、この熱収縮性筒状ラベル７２は、可視光遮光性を有するフィルムから形成されていてもよい。熱収縮性筒状ラベル７２の可視光遮光性は、可視光遮光性のあるインキをフィルムに印刷する、或いは、金属箔などの遮光層をフィルムに積層するなどの方法によって付与できる。全体が可視光遮光性を有する熱収縮性筒状ラベル７２を使用してもよく、或いは、一部分が可視光遮光性を有し且つ残部が遮光性を有さない熱収縮性筒状ラベル７２を使用してもよい。
【００３４】
植物３の上方部３２に可視光が当たると、蒸散作用が活発化し、それに応じて、植物３の枯死も早くなると考えられる。全体が非透明な保護カバー６、又は、少なくとも一部分に非透明な部分を有する保護カバー６であって前記非透明な部分が可視光遮光性を有するラベル７２で覆われた保護カバー６を用いて上方部３２を覆うことにより、植物３を長期間保存できるようになる。
【００３５】
（ａ）例えば、保護カバー６の筒状部６１の全体が紙材（つまり、可視光遮光性を有する材料）から形成され、天面部６２の全体が透明な合成樹脂（つまり、可視光遮光性を有さない材料）から形成されている場合、図６に二点鎖線で示すように、可視光遮光性を有する被覆材７３を天面部６２の外面（又は内面）に設けることによって、上方部３２が可視光に曝されることを完全に防止できる。このように保護カバー６の全体が可視光遮光性を有し、それ単独で上方部３２を完全に遮光できる場合には、熱収縮性筒状ラベル７２は、遮光性を有していてもよく、或いは、有していなくてもよい。前記被覆材７３は、可燃物であることが好ましく、例えば、非透明な基材を有する粘着ラベルなどを用いることができる。
（ｂ）例えば、保護カバー６の筒状部６１の全体又は一部が可視光遮光性を有する材料から形成され、天面部６２の全体が可視光遮光性を有する材料から形成されている場合、全体が可視光遮光性を有する熱収縮性筒状ラベル７２を装着することによって、上方部３２が可視光に曝されることを完全に防止できる。
（ｃ）さらに、上記（ａ）の場合、一部分が透明で且つ残部が非透明である被覆材（一部分が遮光性を有さず且つ残部が遮光性を有する被覆材）を用いることにより、その被覆材の透明部と透明な天板部を通じて、外部から植物３を透視して、植物３の状態をチェックすることができる。また、上記（ｂ）の場合、一部分が透明で且つ残部が非透明である熱収縮性筒状ラベル（一部分が遮光性を有さず且つ残部が遮光性を有する熱収縮性筒状ラベル）を用いることにより、その熱収縮性筒状ラベルの透明部と透明な筒状部６１を通じて、外部から植物３を透視して、植物３の状態をチェックすることができる。このように保護カバー６又は保護カバー６と熱収縮性筒状ラベルが協働して、一部分に透明部を有し且つ残部に遮光性を有することにより、植物３の遮光とチェックを併用できる。なお、透明部の大きさは、遮光性を考慮して適宜設定される。
【００３６】
上記植物付き容器１は、容器２内に水分が入れられ且つ封止部５にて開口筒部２２が塞がれているので、植物３の蒸散作用によってその下方部３１（茎部）の切り口（又は下方部３１の根など）から水分を吸水し、植物３が長期間枯れることがない。なお、開口筒部２２が封止部５にて封止されている容器２の収容部２４は、通常、気密状態にあるが、通気孔４が周壁２１に設けられていることによって、外部と通気可能であり、植物３は何ら支障なく吸水できる。
なお、植物３の吸水によって収容部２４内は負圧になるので、通常、容器２が傾くなどして収容部２４内の水分が通気孔４に触れても外部に漏れることはない。もっとも、上記植物付き容器１は通気孔４に被さるラベル７１が添付されているので、水漏れを確実に防止できる上、通気孔４を通じて小さな虫などが容器２内に侵入することも防止できる。
【００３７】
上記植物包装体１０，１０ａは、植物３の上方部３２が保護カバー６によって覆われているので、保管・運搬中に上方部３２が損傷を受けにくい。
さらに、上述のように、植物付き容器１に具備された植物３は、長期間枯れることがないので、本発明の植物包装体１０，１０ａは、植物３を傷めることなく長期間保管・運搬が可能である。
なお、植物付き容器１の植物３がサボテンのような乾燥に強い植物である場合には、容器２内に水分や養分が入れられていなくても長期間枯れることはない。
【００３８】
植物包装体１０は、購入者によって、熱収縮性筒状ラベル７２が開封され、保護カバー６が取り外される。熱収縮性筒状ラベル７２には、ミシン目線７２１が形成されているので、熱収縮性筒状ラベル７２の開封も容易に行える。また、保護カバー６が合成樹脂又は紙材で形成されている場合には、それを可燃物ゴミとして容易に廃棄できる。
保護カバー６が取り外されると、植物付き容器１が現れる。植物付き容器１は、既に水分が入れられた容器２に植物３が挿入されているので、そのままテーブルなどの上において植物３を見たり触れたりできる。植物３の上方部３２はフィルムなどで覆われていないので、購入者は、上方部３２に直接触れ、匂いを手軽に楽しむことができる。
また、容器２が合成樹脂又は紙材にて形成されている場合には、使用後、前記植物付き容器１をそのまま可燃物ゴミとして容易に廃棄できる。
【００３９】
［植物付き容器及び植物包装体の製造方法］
上記植物付き容器及び植物包装体は、例えば、次のような手順で製造することができる。
【００４０】
（第１の製造方法）
上記容器２の収容部２４内に必要に応じて水分などを入れる。水分などは、通常、開口筒部２２から容器２内に入れられる。
図７に示すように、水分が入れられた容器２の開口筒部２２から容器２内に植物３の一部分である下方部３１を差し入れる。
なお、容器２に水分を入れた後に植物３を差し入れる工程に代えて、容器２内に植物３を差し入れた後、容器２内に水分を入れてもよい。
また、図示例のように、容器２の外面にラベル７１を添付する場合には、そのラベル７１は、水分及び植物３を入れる前に容器２に添付してもよく、或いは、水分（又は植物３）を入れた後に容器２に添付してもよい。
【００４１】
前記水分及び植物３が入れられた容器２の開口筒部２２と植物３との間の間隙を、図８に示すように、流動性を有する未硬化の封止材料５９にて覆う。
前記流動性を有する未硬化の封止材料５９は、比較的高い粘度を有し且つ流動可能な材料である。かかる未硬化の封止材料５９は、力を加えない静止状態では固体形状が比較的維持され、前記隙間に留まるほどの粘度を有し、力を加えると流動するものである。
流動性を有する未硬化の封止材料５９に圧力などを加えることにより、前記間隙に封止材料５９を充填でき、封止材料５９は、開口筒部２２内に留まって実質的に液垂れせず、その後、硬化する。
封止材料５９としては、流動性を有し且つその後に硬化するものであれば特に限定されず、一液硬化型樹脂及び二液硬化型樹脂のいずれも用いることができる。具体的には、一液硬化型樹脂としては、例えば、湿式硬化型樹脂、熱硬化型樹脂、紫外線硬化型樹脂のような光硬化型樹脂などが挙げられ、二液硬化型樹脂としては、例えば、硬化剤混合型樹脂などが挙げられる。これらの樹脂は、流動性を有するように粘度などが調製される。
【００４２】
湿式硬化型樹脂は、充填時には流動性を有し、空気中又は容器２に付着した若しくは含まれる水分によって硬化する合成樹脂である。熱硬化型樹脂は、充填時には流動性を有し、加熱することによって硬化する合成樹脂である。光硬化型樹脂は、充填時には流動性を有し、紫外線などの光を照射することによって硬化する合成樹脂である。
湿式硬化型樹脂としては、従来公知のものを使用でき、例えば、一液型ウレタン系樹脂、一液型シリコーン系樹脂、シアノアクリレート樹脂などが挙げられる。光硬化型樹脂としては、従来公知のものを使用でき、例えば、アクリル系樹脂、エポキシ系樹脂、ウレタン系樹脂、ポリシラン系樹脂などが挙げられる。熱硬化型樹脂としては、従来公知のものを使用でき、例えば、ウレタン系樹脂、エポキシ系樹脂、フェノール系樹脂、メラミン系樹脂などが挙げられる。硬化剤混合型樹脂としては、使用時に主剤に硬化剤を混合する二液硬化型ウレタン樹脂、二液硬化型エポキシ樹脂などが挙げられる。
容器２内に水分などが入れられる場合には、水存在下で良好に硬化するため、封止材料５９として湿式硬化型樹脂を用いることが好ましい。一方、硬化速度が速いことから、作業効率を高めたい場合には、硬化剤混合型樹脂を用いることが好ましい。
また、未硬化の封止材料５９の性状は、特に限定されず、例えば、泡状、ゼリー状（ペースト状）などが挙げられる。前記泡状は、好ましくは独立気泡を有する泡状である。このような封止材料５９としては、代表的には発泡硬質ウレタン樹脂を用いることができる。
【００４３】
未硬化の封止材料５９は、例えば、注出具Ｘなどを用いて前記開口筒部２２の間隙に充填される。封止材料５９は、開口筒部２２内の所望範囲に充填すればよいが、好ましくは、開口筒部２２の径差部２１２を含んで充填される。図示例では、径差部２１２は、上方に向かう従って内周長が大きくなる部分と下方に向かうに従って内周長が大きくなる部分との間であり、その２つの部分と径差部２１２の辺りに未硬化の封止材料５９を充填することが好ましい。
【００４４】
開口筒部２２と前記植物３との間の間隙を未硬化の封止材料５９にて覆った後、その封止材料５９を硬化させる。
例えば、封止材料５９が湿式硬化型樹脂である場合には、大気中で放置することにより、封止材料５９が硬化し、封止部５が形成される。なお、必要に応じて、前記未硬化の封止材料５９に熱を加えてもよい。
また、封止材料５９が熱硬化型樹脂又は光硬化型樹脂である場合には、それらに応じて加熱又は光照射することにより、封止材料５９が硬化し、封止部５が形成される。
未硬化の封止材料５９が泡状である場合には、発泡体からなる封止部５が形成され、未硬化の封止材料５９がゼリー状である場合には、非発泡体からなる封止部５が形成される。なお、封止材料５９に発泡剤を添加しておくことにより、ゼリー状の封止材料５９でも発泡体からなる封止部５を形成することもできる。
【００４５】
必要に応じて、未硬化の封止材料５９にて間隙を覆った後、前記封止材料５９が硬化する前に、植物の向きなどの起立状態を調整してもよい。詳しくは、未硬化の封止材料５９は、上述のように流動性を有するので、植物３はこの封止材料５９にて十分に支持されておらず、封止材料５９が硬化するまでの間に、下方部３１を容器２内に差し入れた植物３が、傾くなどするおそれがある。それ故、未硬化の封止材料５９が硬化するので、別途の固定治具（図示せず）などを用いて、植物３の適切な起立状態を維持することが好ましい。前記固定治具は、予め容器２の収容部２４に具備されていてもよく、容器２の外部に配置されていてもよい。予め収容部２４に具備されている固定治具は、封止材料５９の硬化後に取り出さずに植物付き容器の構成要素の一部を成す。また、外部に配置された固定治具は、通常、封止材料５９の硬化後に取り外されるが、それを取り外さずに植物付き容器の構成要素の一部に組み込んでもよい。
このようにして、開口筒部２２と植物３との間の間隙が封止部５によって密封された、図２に示すような植物付き容器１が得られる。
【００４６】
この植物付き容器１の上方から上記保護カバー６を被せ、保護カバー６の端部を容器２の周壁２１に密着させることにより、上方部３２が保護カバー６で覆われた、図５に示すような植物包装体１０ａが得られる。
さらに、保護カバー６及び容器２の外側に熱収縮性筒状ラベル７２を被せ、これを熱収縮装着させることにより、図１に示すような植物包装体１０が得られる。
【００４７】
（第２の製造方法）
第２の製造方法は、容器２の開口筒部２２を未硬化の封止材料５９にて覆った後、その封止材料５９に植物３を挿通する点で、上記第１の製造方法と異なっている。以下、第１の製造方法と異なる部分を主として説明する。
すなわち、上記容器２の収容部２４内に水分を入れ、その容器２の開口筒部２２内に、図９に示すように、流動性を有する未硬化の封止材料５９を充填する。封止材料５９の材質及び充填位置などは、開口筒部２２内に植物３が存在しないこと以外、第１の製造方法と同様である。
【００４８】
次に、充填された未硬化の封止材料５９に、植物３の下方部３１を挿通し、容器２内に植物３の下方部３１を差し入れる。
流動性を有する封止材料５９は、植物３を挿通する（換言すると、植物３によって力を加える）と容易に流動するので、下方部３１を所望位置に簡単に挿通できる。また、植物３の挿通後、流動した未硬化の封止材料５９は植物３の下方部３１の周囲に密着する。特に、泡状の未硬化の封止材料５９を用いることにより、比較的小さな力で植物３を挿通でき、また、挿通した植物３の周囲に封止材料５９が確実に離れることなく密着するので、密封性に優れた封止部５を形成できる。
【００４９】
その後、未硬化の封止材料５９が硬化することにより、開口筒部２２と植物３との間の間隙が封止部５によって密封された、図２に示すような植物付き容器１が得られる。
事後、第１の製造方法と同様にして、図５及び図１に示すような植物包装体１０，１０ａが得られる。
【００５０】
第１の製造方法によれば、容器２の開口筒部２２と植物３との間隙に流動性を有する未硬化の封止材料５９を充填した後、それを硬化させて封止部５を形成するので、植物３が損傷することなく封止部５を容易に形成できる。
同様に、第２の製造方法によれば、開口筒部２２に流動性を有する未硬化の封止材料５９を充填した後、それに植物３を挿通し、それを硬化させて封止部５を形成するので、植物３が損傷することなく封止部５を容易に形成できる。
【００５１】
（第３の製造方法）
第１及び第２の製造方法は、未硬化の封止材料５９を用いるが、硬化した封止材料（封止部５）を用いてもよい。
例えば、ゴム材などの固体物を開口筒部２２内に強嵌できる大きさに形成することによって栓部材（封止部５に相当する）を作製し、この栓部材に、植物３の下方部３１を挿通できる大きさの孔を貫通形成する。
この栓部材の孔に植物３の下方部３１を挿通し、水分が入れられた容器２の開口筒部２２に、前記下方部３１と共に栓部材を嵌め入れる。或いは、水分が入れられた容器２の開口筒部２２に、栓部材を嵌め入れた後、その栓部材の孔に植物３の下方部３１を挿通する。このようにして植物付き容器１を得ることもできる。
【００５２】
なお、本発明は、上記第１実施形態に限られず、本発明の意図する範囲で様々に変更できる。以下、他の実施形態を説明するが、その説明に於いては、主として上記第１実施形態と異なる構成及び効果について説明し、上記第１実施形態と同様の構成などについては、用語又は符号をそのまま援用し、その構成の説明を省略する場合がある。
【００５３】
＜第２実施形態＞
上記第１実施形態の容器２において、図１０に示すように、周壁２１の外面の一部分に内側に凹んだ凹み部２５を形成し、その凹み部２５内に通気孔４を形成してもよい。
また、図１１に示すように、周壁２１の外面の一部分に外側に膨らんだ突出部２６を形成し、その突出部２６内に通気孔４を形成してもよい。
このように周壁２１に凹み部２５又は突出部２６を形成し、その部分に通気孔４を形成することにより、ラベルと周壁２１の間に比較的大きな隙間を確保でき、容器２内に外気が入りやすくなる。
【００５４】
＜第３実施形態＞
上記各実施形態では、容器２に通気孔４を形成しているが、これに代えて又は併用して、図１２に示すように、封止部５に通気孔４を形成してもよい。
封止部５に通気孔４を形成する方法は、特に限定されず、例えば、穿孔具を用いて封止部５に孔を穿つ方法、封止部５を未硬化の封止材料５９で形成する場合には、ストローの如き管状体７４を封止部５に貫通させる方法などが挙げられる。簡易に形成できることから、図１２に示すように、管状体７４を貫通させる方法が好ましい。例えば、上記第１の製造方法の場合には、植物３を差し入れる前後又は同時に、管状体７４を開口筒部２２内に配置し、開口筒部２２と植物３及び管状体７４との間の間隙に未硬化の封止材料５９を充填した後、それを硬化させることにより、図１２に示すような植物付き容器１が得られる。上記第２の製造方法の場合には、開口筒部２２内に未硬化の封止材料５９を充填した後、植物３の挿通の前後に又は同時に、管状体７４を前記封止材料５９に挿通し、封止材料５９を硬化させることにより、図１２に示すような植物付き容器１が得られる。
管状体７４は、直胴状でもよく、或いは、非直胴状でもよい。また、管状体７４は、直線状でもよく、或いは、屈曲状又は湾曲状でもよい。さらに、図示のように、収容部２４側の端部が上向きに曲げられている又は端部が横向きに曲げられている管状体７４を用いることにより、収容部２４内の水分が管状体７４を通じて外部に漏れ難くなるので好ましい。
もっとも、上記各実施形態のように、通気孔４が形成された容器２を用いる方が簡便であるので好ましい。
【００５５】
＜第４実施形態＞
また、図１３に示すように、容器２の周壁２１の一部分に、段部２７が形成されていてもよい。このような段部２７を形成することにより、その上に保護カバー６の下端が当接して保護カバー６が位置決めされる。この場合、保護カバー６の少なくとも端部の内周長は、前記段部２７の上方における周壁２１の外周長と同じ又はそれよりも少し小さいことが好ましい。保護カバー６の端部の内周長が段部２７の上方における周壁２１の外周長よりも少し小さい場合、保護カバー６を周壁２１に強く嵌め入れて取り付けることができるため、保護カバー６と容器２を結束するための熱収縮性筒状ラベルの装着を省略することもできる。もっとも、両者の結束を確実にするために、上記第１実施形態と同様に、熱収縮性筒状ラベルを熱収縮装着してもよい。
【００５６】
＜第５実施形態＞
さらに、上記各実施形態では、上方部３２を含む植物付き容器１の上方部が保護カバー６によって覆われているが、植物付き容器１の全体が保護カバー６によって覆われていてもよい。
かかる保護カバー６は、例えば、図１４に示すように、植物付き容器１の上方部を被う第１カバー６３と、植物付き容器１の下方部を被う第２カバー６４と、からなる。第１カバー６３は、その端部が容器２の周壁２１に強嵌されることによって取り付けられ、第２カバー６４は、その端部が第１カバー６３の端部に外嵌されることによって取り付けられている。第１カバー６３と第２カバー６４は、熱収縮性筒状ラベル７２によって結束されている。
【００５７】
＜第６実施形態＞
また、上記各実施形態では、保護カバー６と植物付き容器１を結束する手段として、熱収縮性筒状ラベルを例示しているが、これに限定されず、例えば、図１５に示すように、連結テープ７５を用いてもよい。
連結テープ７５は、裏面に粘着剤（又は接着剤）が設けられたテープである。図１５に示すように、連結テープ７５を保護カバー６と容器２の周壁２１に跨がって貼り付けることにより、保護カバー６と植物付き容器１を結束できる（ただし、図示例では、連結テープ７５は、ラベル７１を介在させて周壁２１に貼り付けられている）。
【００５８】
＜その他の実施形態＞
上記各実施形態の植物包装体１０において、保護カバー６の内部に、植物３の枯死を抑制できる機能を有する封入ガスを充填してもよい。前記封入ガスは、植物３の種類に応じて適宜選択でき、例えば、窒素ガス、炭酸ガス、酸素ガス、不活性ガスなどが挙げられる。
なお、上記様々な実施形態から選ばれる２以上の実施形態を適宜組み合わせてもよく、或いは、上記様々な実施形態から選ばれる１つ又は２つ以上の構成を、それ以外の実施形態に置換してもよい。
【符号の説明】
【００５９】
１  植物付き容器
１０，１０ａ  植物包装体
２  容器
２１  容器の周壁
２２  容器の開口筒部
３  植物
３１  植物の下方部
３２  植物の上方部
４  通気孔
５  封止部
６  保護カバー
７１，７２  ラベル
【図１】
2017169513.tif 000003
【図２】
2017169513.tif 000004
【図３】
2017169513.tif 000005
【図４】
2017169513.tif 000006
【図５】
2017169513.tif 000007
【図６】
2017169513.tif 000008
【図７】
2017169513.tif 000009
【図８】
2017169513.tif 000010
【図９】
2017169513.tif 000011
【図１０】
2017169513.tif 000012
【図１１】
2017169513.tif 000013
【図１２】
2017169513.tif 000014
【図１３】
2017169513.tif 000015
【図１４】
2017169513.tif 000016
【図１５】
2017169513.tif 000017